(57)【要約】【課題】  携帯端末のユーザが、ネットワークサービスを利用している位置または時間に基づいて有効な広告を提供する為の、効率的な広告の申請または提供方法を提供する。【解決手段】  広告仲介サーバにおいて、位置・時間情報を指定して、当該情報に対して対価の額を投入し、当該対価の額に応じて、効率の良い広告を提供し、ユーザがコンテンツのアクセスした場所・時間に応じて、広告の内容を変更させる。【選択図】  図５
2008304964.tif 000002
【特許請求の範囲】
【請求項１】
広告仲介サーバにおいて、
位置情報を取得することが可能な携帯端末から送信された前記携帯端末の位置情報を受信する手段と、
前記位置情報に応じて広告リストを作成する手段と、
前記作成した広告リストを前記携帯端末に送信する手段と、
前記携帯端末が前記送信した広告リストから特定の広告を選択したという情報を受信したときに、前記特定の広告を記憶しているサーバに、前記携帯端末のアドレスを送信する手段とを備えることを特徴とする広告仲介サーバ。
【請求項２】
請求項１において、
前記広告リストは、前記位置情報と広告仲介の対価とに基づいて作成されることを特徴とする広告仲介サーバ。
【請求項３】
請求項１において、
前記携帯端末から送信された前記位置情報とキーワードとを受信し、前記位置情報及び前記キーワードに応じて前記広告リストを作成することを特徴とする広告仲介サーバ。
【請求項４】
携帯端末から、第一のユーザの情報及び位置情報の提供の条件を受け付け、前記位置情報の提供に対する対価を提示する手段と、
前記第一のユーザから位置情報の提供の契約が成立した場合に、前記位置情報の提供の条件に従って、前記携帯端末の端末の位置情報を取得する手段とを備えたことを特徴とする動線情報仲介サーバ。
【請求項５】
請求項４において、
前記第一のユーザの情報の開示の範囲によって、前記対価を変動させることを特徴とする動線情報仲介サーバ。
【請求項６】
請求項４または請求項５において、
前記取得した位置情報を蓄積する手段と、
前記第一のユーザの情報から特定の属性のユーザの位置情報を抽出する手段を備えたことを特徴とする動線情報仲介サーバ。
【請求項７】
請求項４乃至請求項６のいずれかにおいて、
前記取得した位置情報を、対価と引き換えに第二のユーザに提供し、
前記対価は、前記第一のユーザの情報の開示の範囲、位置情報の数に応じて変動することを特徴とする動線情報仲介サーバ。
【請求項８】
位置情報送信装置に、位置情報とともに所定の識別子情報を携帯端末に送信する指示を、送信する手段と、
前記識別子情報を受け取った携帯端末から送信された、前記識別子情報を添付したメッセージを受信する手段と、
前記携帯端末に、電子マネーまたはポイントを送信する手段とを備えたことを特徴とする電子マネー等付与サーバ。
【請求項９】
請求項８において、
前記位置情報送信装置は、屋内において前記携帯端末の位置測定を行うための屋内位置情報送信装置であることを特徴とする電子マネー等付与サーバ。
【発明の詳細な説明】
【技術分野】
【０００１】
本発明は、位置・時間情報を利用するネットワークサービスの広告表示に関する。
【背景技術】
【０００２】
現在、検索エンジンをベースとする、キーワードを対価の対象とするビジネス市場が拡大している。当該ビジネスは、ユーザがインターネットに接続されたパソコン等を用いてキーワードを入力することで、当該情報を欲しているユーザに対して、検索結果を与えるものであり、同時に、当該キーワードに対する優先的な広告を授与する権限を、競りの原理で与えるビジネスモデルである。
【０００３】
このようなシステムは、膨大な情報を有するインターネットから必要とする情報を獲得したいというユーザのモチベーションに対して、広告主とユーザに有効な広告を提供するものであり、事業的にも成功している。
【０００４】
しかしながら、当該方法は、本来ユーザが存在する場所や時間と全く関係しない場所、時間の情報までも提供するものであり、ユーザに対して相当量の無益な情報をも与えていると考えることもできる。
【０００５】
さらに、当該方法方法は、ユーザがキーワードを主体的な意思で入力する必要があり、移動中のユーザ、特に携帯電話のユーザに対して、有意な検索情報を提供できないという問題がある。
【０００６】
特に、携帯電話を所有するユーザにとって最も必要とされる情報とは、当該ユーザが存在する場所の地図情報と、および地図情報に付帯的に提供される情報である。
【０００７】
このような問題を解決する方法として、特許文献1などがある。当該発明は、エンドユーザー現地時間情報を用いて、広告クリエイティブのコンテンツ、及び／又はランディングページのコンテンツを選択又は修正する手段を提供するものである。
【０００８】
例えば、エンドユーザー現地時間情報を広告クリエイティブ内に挿入することを可能とするものであり、異なったコンテンツを有する異なったランディングページを、異なったエンドユーザー現地時間ごとに使用することも可能とするものである。
【０００９】
さらに当該発明は、エンドユーザー現地時間情報（例えば、ターゲット特定に用いられるエンドユーザー現地時間情報及びエンドユーザー現地時間に依存する価格情報、等）を入力すること及び／又は修正することを可能にするツール（ユーザーインタフェース、等）も提供するものである。
【００１０】
【特許文献１】特表2００７−５０７７５２号公報
【発明の開示】
【発明が解決しようとする課題】
【００１１】
しかし、当該発明においては、そのような情報提供を提供することを解決するものの、その情報提供形態を具現化する仲介システムが存在しないという問題がある。
【００１２】
また、リテーラーや商店街のマーケティング戦略の一つとして、消費者の動線を観測して、消費者の嗜好や購買計画に反映させる手法がある。
【００１３】
このような動線を観測する手段として、当該消費者に観測用のデバイス、例えば、ＲＦＩＤとそのリーダを使用するもの、または携帯電話の全地球測位システム(Global Positioning System、以下略号として「GPS」を用いる)機能を用いるものなど、多くの提案がなされている。
【００１４】
しかし、このようなシステムにおいては、消費者の個人情報が必須であり、原則として消費者の承認を得ずにこのような動線計測を行うことは許されない。
【００１５】
一方でこのような動線計測から有意な結果を得る為には、できるだけ多くの消費者から、その属性を開示して貰うことが前提となるが、このような情報は消費者ができるなら開示したくない情報であり、いくら動線計測を実施する側が、当該目的以外に使用しないことを宣言したところで、近年の毎日のように報道される報流出事件を鑑みれば、個人情報の開示に消極的にならざるを得ない。
【００１６】
また、このような動線計測の結果は、店舗や商品の配置計画などに反映され、これを繰り返すことによって、最終的にはリテーラや商店街は望みの動線の生成に成功するかもしれないが、失敗する可能性も高く、その場合、費される時間やコストも膨大なものとなる。
【００１７】
これは現状の方式では、動線の計測はできても、動線を積極的に生成できないという、本質的な問題を解決できないからである。
【００１８】
本発明は、以下の課題を解決することを目的とするものである。
（１）携帯端末のユーザが、ネットワークサービスを利用している位置または時間に基づいて有効な広告を提供する為の、効率的な広告の申請または提供方法を提供すること。
（２）ユーザが自己のプライバシ情報である動線情報を積極的に開示することを可能とする方法を提供すること。また当該動線情報を購入する方法を提供すること。
（３）ユーザを、リテーラや商店街が計画する動線に導く方法を提供すること。
【課題を解決するための手段】
【００１９】
位置・時間情報を指定して、当該情報に対して対価の額を投入し、当該対価の額に応じて、効率の良い広告を提供し、ユーザがコンテンツのアクセスした場所・時間に応じて、広告の内容を変更させ得る位置・時間ベース広告仲介サーバと、
ユーザが自己のプライバシ情報を提供し、その開示の範囲によって対価の額を決定し、ユーザのプライバシ情報の一つである動線情報を収納し、当該動線情報を加工し、リテーラ等が、当該プライバシ情報または動線情報、またはその加工された情報を提供し、またはその対価の額を決定する動線情報仲介サーバと、
ユーザが所定の場所を通過すると、ユーザに対して電子マネーまたはポイントを提供する電子マネー等付与サーバまたは屋内位置情報送信装置とのいずれかと、
アプリケーションサービスプロバイダ(以下、略称として「ASP」を用いる)サーバと、
からなる。
【発明の効果】
【００２０】
本発明は、下記のいずれかの効果を奏する。
（１）携帯端末のユーザに有用な広告を提供することができる。
（２）ユーザが自己のプライバシ情報である動線情報を積極的に開示することができる。
（３）ユーザを、リテーラや商店街が計画する動線に導くことができる。
【発明を実施するための最良の形態】
【００２１】
本発明の実施の形態について説明を行う。
【実施例１】
【００２２】
図１を用いて、本システムについて説明する。
【００２３】
ＡＳＰサーバ２０−１・２０−５、動線情報仲介サーバ２０−２と、位置・時間ベース広告仲介サーバ２０−３、電子マネー等付与サーバ２０−４、ゲートウェイ１０−１３、屋内位置情報送信装置５０は、ネットワーク１０−１に接続されている。
【００２４】
ゲートウェイ１０−１３は、ネットワーク１０−３と接続されている。
【００２５】
前記ネットワーク１０−１、１０−３は、有線、無線、その他ネットワークの種類に関しては問わない。
【００２６】
自然人１−１、１−２、１−３は、それぞれ、携帯電話７０−１、７０−２、パソコン６０を所持しているものとする。
また、携帯電話７０−１、７０−２は、GPSシステムを具備しており、必要なタイミングで自己の位置の測定が可能である。また、屋内位置情報送信装置５０を介して、屋内においても、自己の位置の測定が可能であるものとする。
【００２７】
なお、ＡＳＰサーバ２０−１・２０−５、動線情報仲介サーバ２０−２と、位置・時間ベース広告仲介サーバ２０−３、電子マネー等付与サーバ２０−４は、公衆からの求めに応じ自動的に行う機能を有するものである（以下、Ｗｅｂサーバ２０と称する）。
【００２８】
当該パソコン６０は、キーボード22、ディスプレイ24を有し、ネットワーク１０−１と接続されており、アプリケーションとして、Ｗｅｂサーバに対して求めを行い、その結果を表示するもの（以下、Ｗｅｂブラウザと称する）を有する。
【００２９】
また携帯電話７０−１、７０−２も、上記のＷｅｂブラウザを有するものとする。
【００３０】
図２は、ＡＳＰサーバ２０−１・２０−５、動線情報仲介サーバ２０−２と、位置・時間ベース広告仲介サーバ２０−３、電子マネー等付与サーバ２０−４のハードウェア構成を示す図であり、ネットワークインターフェースカード１１２、ＣＰＵ１０２、メモリ１０４、キーボード２２やマウス２４を制御する入出力コントローラ１０６、ハードディスク１０５を接続するハードディスクコントローラ１０７、そしてモニタコントローラ１０８がバスなどの内部通信線（以下、バスという）１１０によって接続されている。
【００３１】
図３は、屋内位置情報送信装置５０のハードウェア構成を示す図であり、無線モジュール１３６、ＣＰＵ１３２、メモリ１３４、ネットワークインターフェースカード１３０、ハードディスク１３５を接続するハードディスクコントローラ１３６がバス１３８で接続されている。
【００３２】
図４は、自然人１−３が、位置・時間情報に応じた広告を申請する際のパソコン６０のディスプレイに表示されるＷｅｂブラウザの画面を示す図である。
【００３３】
まず、自然人１−３は、マウス２３等を使って地図１４１の任意の空間を指定することによって、地図ビューア１４３上で表示される地図１４１の任意の、空間オブジェクト２００を指定する。
【００３４】
さらに、空間オブジェクト２００をマウス等で操作することによって、当該空間オブジェクト２００に関わるメニュー画面２０２が表示される。
【００３５】
この画面には、自然人１−３が広告として開示したいと考える、ＵＲＬ、コメント、さらに広告を選択するときの追加キーワード、広告を行う指定時間などを入力し、１クリックあたりの購入金額を入力するが、これらの項目に限定されるものではない。
【００３６】
購入ボタンを押下することによって、指定された内容で広告が登録され、キャンセルボタンによってこれらの設定は廃棄される。
【００３７】
これらの設定情報は、位置・時間ベース広告仲介サーバ２０−３の記憶領域である、メモリ104またはハードディスク105に記録されることになる。
【００３８】
図５は、自然人1−１、が、携帯電話７０−１を介して、図５の空間オブジェクト２００に属するエリアから、ＡＳＰサーバ２０−１にアクセスを試みた場合のメッセージフローを示す図である。
【００３９】
メッセージ５−１には、当該ＡＳＰサーバ２０−１を示すＵＲＬに携帯電話７０−１の現在位置を示す位置情報が付与した内容が含まれている。
【００４０】
例えば、メッセージの内容は以下のようなものになる。
ｈｔｔｐ：／／ｍａｐ．ｚｚｚ．ｚｚｚ．ｃｏｍ／ｐｌ？ｎｌ＝３５．２５．４３．１５７＆ｅｌ＝１３９．１８．４３．２３８ "中華料理"
ここに、″３５．２５．４３．１５７″、″１３９．１８．４３．２３８″とは、緯度、経度の座標を示すものであり、この情報は、当該携帯電話７０−１の有するGPSシステムによって、または、屋内位置情報送信装置５０と連携して計測されるものである。また"中華料理"とは、自然人1−2の携帯電話70−1に格納されている過去のキーワード入力。または新規に入力したキーワードである。但し、このキーワードは添付されない場合もある。
【００４１】
ＡＳＰサーバ２０−１は、当該メッセージ５−１を受信すると、上記情報から位置情報だけを抜き出して、これを位置・時間ベース広告仲介サーバ20−３にメッセージ5−2で転送する。
【００４２】
当該位置・時間ベース広告仲介サーバ２０−３は、当該位置情報を受け取ると、図４のＷｅｂブラウザの画面より入力された情報を検索して、自然人７０−１、70−2の属する位置を含む空間オブジェクトが入力されたエントリを検索し、このエントリを、購入金額が高いものから順にリストとして並べた情報を、メッセージ５−３に載せてＡＳＰサーバ２０−１に送付する。
【００４３】
ＡＳＰサーバ２０−１は、当該リストを自己が提供するコンテンツを含めて、メッセージ５−４に含めて、携帯電話７０−１に転送する。
【００４４】
図６は、携帯電話７０−１の画面に表示された、アプリケーション（地図情報サービス）に、当該リスト情報が表示された一例を示している。
【００４５】
次に自然人1−1または1−2が、携帯電話７０−１から図６右側に記載の広告をクリックすると、クリックされた内容を判別する情報付与されたメッセージ５−５が、位置・時間ベース広告仲介サーバ２０−３に転送された後、当該広告のＡＳＰサーバ２０−５を指定するメッセージ５−７が転送される。ここにメッセージ５−７の送信元アドレスは、携帯電話７０−１のアドレス（ＩＰアドレス）が付与される。
【００４６】
当該メッセージ５−７を受け取ったＡＳＰサーバ２０−５は、メッセージ５−７が、携帯電話７０−１から送付されたものとして、そのＷｅｂサービスのコンテンツをメッセージ５−８にて、携帯電話７０−１に転送する。
【００４７】
位置・時間ベース広告仲介サーバ２０−３は、ＡＳＰサーバ２０−１がクリックされた回数を記録しておき、そのクリック回数に相当する金額を、ＡＳＰサーバ２０−１の管理者等に請求する。
【実施例２】
【００４８】
図７には、店舗の店内を示す展開図３００が記載されており、図中の長方形は店舗の陳列棚を、破線の円３１０は、屋内位置情報送信装置５０の無線電波の到達範囲（以下、無線セルと称す）を示している。
【００４９】
図中の″Ａ１″等は、屋内位置情報送信装置５０の番号を示しており、当該装置は無線セルの中心に位置し、その位置情報としての緯度・経度情報を、常時送信している。
【００５０】
図１の自然人１−２は、携帯電話７０−２を介して、当該位置情報を受信することができるものとする。また屋内位置情報送信装置５０は、当該位置情報として、上記の情報以外にも無線セルを示す識別子（例えば、″Ａ１″等の情報）も送付できるものとする。
【００５１】
自然人１−３は、パソコン６０を介して当該無線セルの位置と、その他の情報を、位置・時間ベース広告仲介サーバ２０−３を介して入力することができる。
【００５２】
当該入力に関する事項は、図４の２０２のWebブラウザの画面の内容に準ずる。
【００５３】
自然人１−２は、当該無線セルに属した場合にも図６に準ずる広告を受信することができるようになる。
【実施例３】
【００５４】
図８は、自己のトラッキング情報を対価の目的として提供することを希望する自然人１−２の携帯電話７０−２に表示されるメニューを示している。当該メニューは、動線情報仲介サーバ２０−２のＷｅｂサーバより提供される。
【００５５】
ユーザは、メニューに応じて、自己の情報に該当する項目に対してチェックを入れ、または入れずに、このメニューの項目の入力を完了する。
【００５６】
例えば、ユーザは、性別の項目において「男性」「女性」であることをチェックすることができるが、それを行わなくても良い。年齢についても全く未記載のままでも構わないし、逆に具体的な年齢を記載しても良い。
【００５７】
この場合、動線情報仲介サーバ２０−２の管理人は、それぞれのメニューのチェックまたは入力に対してポイントを設定することができる。このポイントは、自己の情報を対価の目的とするユーザに対して支払われる金額のベースとなるものであり、当該管理人はプライバシ情報として取得しにくい項目に対して、高価なポイントを付与することで、ユーザに対してプライバシ情報の開示を促すことが可能となる。
【００５８】
さらに電話番号などの高度なプライバシ情報の入力を行ったユーザに対しては、当該情報の使用範囲に関して契約を行なう画面を用意して契約を行っても良い。
【００５９】
この契約の内容に応じて、さらにポイントを変更させることも可能である。具体的には、事後的にこの電話番号で直接ユーザと連絡を取ることの許諾に対しては、高いポイントを付与する、等の条件を設定することができる。
【００６０】
図８の設定情報は、当該画面への入力と契約が成立した後、ユーザの位置情報を定期的に動線情報仲介サーバ２０−２に通知することで、ユーザの動線情報が、当該サーバに蓄積されることになる。
【００６１】
さらに、ユーザは当該位置情報のトラッキングを認容する時間（図８では、「６時間」と指定）や、エリア（図８では指定「なし」）などを指定することで、開示する自己の位置情報を制限することも可能である。
【００６２】
これらの入力が行われることによって、当該ユーザのプライバシ情報の対価の見積が行われる（図８では、「３６０円」となっている）。
【００６３】
ユーザは、開示するプライバシを変更することで、この対価の見積額を変更することができる。
【００６４】
さらにユーザは、当該プライバシ情報の対価の額を、支払い情報として選択することができる。図８では、携帯電話に電子マネーを送付する方法、銀行口座振込とする方法、または特定の店舗の商品と交換する方法（図８では「ハンバーガショップＨＢにて代金分購入」と記載）などを例示している。
【００６５】
なお、図８のメニューまたは支払い方法等は例示であり、これらに限定されるものではない。
【００６６】
ユーザが自己のプライバシの開示と対価の額について納得した場合は、当該画面の最下部にある「契約」のボタンを、納得せずメニューのチェック等を修正する場合には「修正」のボタンを、または当該手続を中止する場合は「キャンセル」のボタンを押下する。
【００６７】
上記の情報は、携帯電話７０−２からネットワーク１０−１を介して、動線情報仲介サーバ２０−２に転送される。
【００６８】
当該情報が転送された後から、ユーザの指定した期間の間、携帯電話７０−２は所定の手段を用いて位置情報を定期的に当該サーバに送信し続ける。
【００６９】
これらの位置情報の定期的な転送の方式については、例えば、出願２００５−１０３４５５号公報等に記載の手段を用いても良い。
【００７０】
図９は、図８のメニュー画面を介して、自己のプライバシ情報とトラッキング情報を提供したユーザをデータを、対価を支払って購入することを希望する、自然人１−３のパソコン６０に表示されるＷｅｂブラウザの画面を示している。
【００７１】
この画面は、動線情報仲介サーバ２０−２のデータベース１０５に記録されたトラッキングデータから、自然人１−３が希望する属性のユーザのトラッキングデータを検索することを目的とするものである。
【００７２】
自然人１−３は、メニューに応じて、希望する属性のユーザに該当する項目に対してチェックを入れ、または入れずに、このメニューの項目の入力を完了する。
【００７３】
図９においては、自然人１−３は、男性であることを指定しているが、年齢、職業等は未指定としている。
【００７４】
また入手したいトラッキング情報として、２００７年５月３０日から７２時間の期間と、地図によって指定されるエリアの情報を希望していることを示している。
【００７５】
上記の項目のチェックが完了した後に、「検索」ボタンを押下すると、当該チェックの項目に該当するトラッキング情報と、その対価の額が表示される。
【００７６】
この対価の額に対して、自然人１−３は、図８と同様に支払い方法を指定し、最終的に「購入」ボタンを押下することで取引が成立する。
【００７７】
この「購入」ボタンを押下した後、動線情報仲介サーバ２０−２を介してトラッキング情報を確認できるようになり、また必要に応じて当該トラッキング情報のデータを、当該サーバからパソコン６０にダウンロードできるようになる。
【００７８】
図１０は、自然人１−３が、動線情報仲介サーバ２０−２のＷｅｂサーバにアクセスし、パソコン６０のＷｅｂクライアントで、トラッキング情報を確認する為の図である。  
本図に示すように、「次へ」または「前へ」のボタンを押下することによって、一つ一つのトラッキングを調査することも可能であるし、また「全表示」のボタンを押下することで、全てのトラッキング情報を同時に表示させることも可能である。
【００７９】
また、自然人１−３はダウンロードした情報を直接加工して、統計情報等に再編集することも可能である。
【実施例４】
【００８０】
図１１は、ユーザの動線を生成する為に、屋内位置情報送信装置５０の無線セルの内部を通過した、自然人１−２の携帯電話に対して、電子マネーまたはポイントを蓄積させる処理フローを示す図である。
【００８１】
先ず、当該サービスを実施する為の前提条件として、携帯電話７０−１は、屋内位置情報送信装置５０から定期的に転送されている位置情報に加え、当該装置のみが有する所定の識別子も転送しているものとする（例えば、第二の実施例に記載の″Ａ１″等）。
【００８２】
携帯電話７０−１は、当該識別子を認識し、その情報を携帯電話に格納するアプリケーションを、予めダンロードしておくものとする。
【００８３】
電子マネー等付与サーバ２０−４は、メッセージ７−１により屋内位置情報送信装置５０に対して、携帯電話７０−１を所有する自然人１−２に対して、一回の無線セル通過に対していくら支払うのかの金額またはポイントを送付する。
【００８４】
当該情報を格納した屋内位置情報送信装置５０は、メッセージ７−２、７−３、７−４に、位置情報と同時に上記識別子情報と電子マネーまたはポイントを送付する。
【００８５】
但し、携帯電話７０−１は同一無線セル内で連続して当該メッセージを受信した場合、上記の携帯電話７０−１のアプリケーションにて、２回目以降の電子マネーまたはポイントは無効とされる。
【００８６】
または、メッセージ７−２、７−３、７−４には、電子マネーまたはポイントは付与せず、位置情報と識別子情報のみが転送されるようにしえもよい。この場合、携帯電話７０−１はメッセージ７−５に当該識別子情報を添付したメッセージを、電子マネー等付与サーバ２０−４に送付し、その応答として、電子マネー等付与サーバ２０−４が電子マネーまたはポイントをメッセージ７−６に添付して、携帯電話７０−１に送付するようにしても良い。
【００８７】
なお、当該無線セルを通過した者にのみ有効とされることが必要であることから、これらの電子マネーまたはポイントは、携帯電話７０−１を使う手段以外では使用できないようにしても良い。
【００８８】
電子マネー等付与サーバ２０−４の管理者は、図１０の画面等を使って、電子マネー等付与サーバ２０−４は、屋内位置情報送信装置５０による動線生成の効果を確認できるようにしても良い。
【００８９】
また、図１１の例では屋内位置情報送信装置５０が提供する無線セルの範囲に属した場合について記載しているが、屋内位置情報送信装置５０を使わないで、携帯電話７０−１が有する位置情報測位手段を用いて上記を実施しても良い。
【図面の簡単な説明】
【００９０】
【図１】本システムの構成図である。
【図２】サーバ２０−１〜５のハードウェア構成図である。
【図３】屋内位置情報送信装置５０のハードウェア構成図である。
【図４】位置・時間ベース広告仲介サーバ２０−３が提供する画面図である。
【図５】携帯電話に広告が提供される際のフロー図である。
【図６】携帯電話に広告が提供される際の画面図である。
【図７】店舗内部の見取り図と無線セルを示す図である。
【図８】動線情報生成時に入力するプライバシ情報入力画面図である。
【図９】動線情報取得時に入力する動線選択用の情報入力画面図である。
【図１０】動線情報を表示する画面図である。
【図１１】屋内位置情報送信装置５０が電子マネーを提供するフロー図である。
【符号の説明】
【００９１】
自然人１−１〜３、ＡＳＰサーバ２０−１・２０−５、動線情報仲介サーバ２０−２、位置・時間ベース広告仲介サーバ２０−３、電子マネー等付与サーバ２０−４、ゲートウェイ１０−１３、屋内位置情報送信装置５０、ネットワーク１０−１、ディスプレイ１４、マウス２４、キーボード２２、無線ネットワーク１０−３、ネットワークインターフェースカード１１２、ＣＰＵ１０２、メモリ１０４、入出力コントローラ１０６、ハードディスク１０５、ハードディスクコントローラ１０７、モニターコントローラ１０８、バス１１０、ＣＰＵ１３２、メモリ１３４、ネットワークインターフェースカード１３０、ハードディスク１３５、無線モジュール１３８、地図１４１、空間オブジェクト２００、画面画面２０２、メッセージ５ー１〜８、店舗見取り図３００、無線セル３１０、画面画面３０２、メッセージ７−１〜６
【図１】
2008304964.tif 000003
【図２】
2008304964.tif 000004
【図３】
2008304964.tif 000005
【図４】
2008304964.tif 000006
【図５】
2008304964.tif 000007
【図６】
2008304964.tif 000008
【図７】
2008304964.tif 000009
【図８】
2008304964.tif 000010
【図９】
2008304964.tif 000011
【図１０】
2008304964.tif 000012
【図１１】
2008304964.tif 000013